(57)【特許請求の範囲】
【請求項１】
第１間隔で発生するリセット信号毎に各動作処理プログラムを順次に実行するパチンコ機において、
始動口へのパチンコ球の入球を検出する入球検出手段と、
第１計数を記憶する計数記憶手段と、
前記計数記憶手段に記憶される第１計数に対して前記第１間隔毎に加算値を加算し、第１計数を第１範囲内で周期的かつ順次に更新する計数更新手段と、
前記入球検出手段により入球を検出した際に、前記計数記憶手段に記憶される第１計数の値を取得し、取得した第１計数の値に基づいて当たりを判定する当たり判定手段と、
第２計数を記憶するとともに、前記記憶された第２計数に対して前記第１間隔と異なる第２間隔毎に加算値を加算し、第２計数を第１範囲内で周期的かつ順次に更新する計数器と、を有し、
前記当たり判定手段により当たりと判定された際に、前記計数記憶手段に記憶される第１計数の値に前記計数器に記憶される第２計数の値を代入することを特徴とするパチンコ機。
【発明の詳細な説明】
【０００１】
【発明の属する技術分野】
本発明は、当たり判定の際に使用する計数の値の取得タイミングを外部から制御することによって、パチンコ機を不正に当たり状態にする所謂「ぶらさげ基板」による不正を防止するパチンコ機に関する。
【０００２】
【従来の技術】
従来、パチンコ機においては、ハード構成により一定間隔で発生するリセット信号毎に、蛍光管表示データ転送の処理、スイッチ入力の処理、当たり判定の処理等の各動作処理プログラムを順次に実行することにより、パチンコ機を動作させている。そして、当たり判定の処理においては、リセット信号毎に変化する計数の値に基づいて当たり判定を行っている。
【０００３】
例えば、第１種パチンコ機の場合では、第１始動口にパチンコ球が入球したときに取得される計数の値が、予め設定された「当たり値」であるか否かを判断することにより、当たり判定の処理を行っている。
【０００４】
従って、リセット信号毎に変化する計数の値が「当たり値」であるときに、第１始動口にパチンコ球が入球しなければ、パチンコ機を当たりの状態にさせることはできない。また、リセット信号は「ｍｓｅｃ」単位の一定間隔で発生しており、「ｍｓｅｃ」単位で変化する計数の値を遊技者が認識することはできないので、計数の値が「当たり値」であるときを狙って、遊技者が第１始動口にパチンコ球を入球させることは不可能である。すなわち、遊技者側からするならば、パチンコ機を当たりの状態にするには、第１始動口にパチンコ球を次々に入球させる以外に方法がなく、言い換えれば、当たり判定の処理の際に使用する計数の値として「当たり値」が取得されたか否かは、第１始動口に入球するパチンコ球の偶然性に大きく左右されていた。
【０００５】
【発明が解決しようとする課題】
しかしながら、当たり判定の処理の際に使用する計数の値は、一定間隔で発生するリセット信号毎に一定の加算値が加算されることにより一定範囲内を周期的かつ順次に変化するものであるから、計数の値が「当たり値」に変化する時点は周期的に訪れることになり、計数の値が「当たり値」になる時点を何らかのハードウエアで認識することができれば、その後に計数の値が「当たり値」になる時点を予測することも可能となる。
【０００６】
そして、近年においては、所謂「ぶらさげ基板」を主基板に不正に接続して、計数の値が「当たり値」になる時点をハード構成により認識し、計数の値が「当たり値」になると予測した時点に、第１始動口にパチンコ球が入球したことを示す信号を主基板へ送信して、当たり判定の処理の際に使用する計数の値として「当たり値」を取得させることにより、パチンコ機を当たりの状態にする不正行為が多発しており、かかる不正を防止する必要性が生じていた。
【０００７】
そこで、本発明は、上述した問題点を解決するためになされたものであり、当たり判定の処理の際に使用する計数の値の変化を外部から予測することを不可能にすることによって、所謂「ぶらさげ基板」による不正行為の防止を図ったパチンコ機を提供することを目的とする。
【０００８】
【課題を解決するための手段】
この目的を達成するために成された請求項１に係るパチンコ機は、第１間隔で発生するリセット信号毎に各動作処理プログラムを順次に実行するパチンコ機において、始動口へのパチンコ球の入球を検出する入球検出手段と、第１計数を記憶する計数記憶手段と、前記計数記憶手段に記憶される第１計数に対して前記第１間隔毎に加算値を加算し、第１計数を第１範囲内で周期的かつ順次に更新する計数更新手段と、前記入球検出手段により入球を検出した際に、前記計数記憶手段に記憶される第１計数の値を取得し、取得した第１計数の値に基づいて当たりを判定する当たり判定手段と、第２計数を記憶するとともに、前記記憶された第２計数に対して前記第１間隔と異なる第２間隔毎に加算値を加算し、第２計数を第１範囲内で周期的かつ順次に更新する計数器と、を有し、前記当たり判定手段により当たりと判定された際に、前記計数記憶手段に記憶される第１計数の値に前記計数器に記憶される第２計数の値を代入することを特徴とする。
【０００９】
【００１０】
【００１１】
このような構成を有する本発明のパチンコ機においては、第１間隔で発生するリセット信号毎に各動作処理プログラムを順次に実行することによって、パチンコ機の動作を行っており、かかる動作処理プログラムの一つである当たり判定の処理においては、第１計数の値に基づいて行っている。
【００１２】
このとき、第１計数の値は、原則として、リセット信号毎に加算値が加算されることによって、第１範囲内を周期的かつ順次に変化している。また、計数器の値は、リセット信号が発生する第１間隔とは異なる第２間隔毎に、第１範囲内において変化している。
【００１３】
そして、計数器によって更新される第２計数の値を第１計数に代入することによって、第１計数の値を飛び越して変化させる。このように、第１計数の値を不規則に変化させたりすれば、第１計数の値の変化を外部から予測することは不可能となる。
【００１４】
すなわち、本発明のパチンコ機は、リセット信号が発生する第１間隔と異なる第２間隔毎に変化する計数器の値に基づいて第１計数の値を変更しており、当たり判定の処理の際に使用する計数の値の変化を外部から予測することを不可能にしているので、所謂「ぶらさげ基板」による不正行為を防止することができる。
【００１５】
【発明の実施の形態】
以下、本発明の実施の形態を図面を参照にして説明する。第１実施の形態のパチンコ機を、図１、図２、図６を参照にして説明する。第１実施の形態のパチンコ機は、第１種パチンコ機である。そして、ハード構成により「ｍｓｅｃ」単位の第１間隔で発生する、リセット信号である「リセット割込み」毎に、各動作処理プログラムを順次に実行することによって、パチンコ機自身を動作させるものである。
【００１６】
ここで、第１実施の形態のパチンコ機のハード構成を、図６を用いて説明する。図６に図示されたハード構成は主基板に搭載される主なものである。ＣＰＵ１０は、ＲＯＭ１６に記憶された各動作処理プログラムを順次に実行するものであり、ＣＰＵ１０自身に内蔵されたクロックから第１間隔を認識するものである。ＲＡＭ１１は、後述する変数の計数ＲＮＤなどを記憶するものである。クロック１２は、ＣＰＵ１０自身に内蔵されたクロック（第１間隔を認識させるもの）とは独立して、後述する第２間隔毎に信号を発生させるものである。尚、かかる第２間隔は、第１間隔と同様に、「ｍｓｅｃ」単位である。
【００１７】
計数器１３は、クロック１２が発生する信号に基づいて、第２間隔毎に、第１範囲である値「ＡX」から値「ＡY」の間を加算値Ｎである値「Ｎ1」ずつ加算しながら計数しつつ、値「ＡY」に値「Ｎ1」を加算したときは「ＡX」に戻るように計数するハードウエアである。かかる計数器１３の値ＳＹＣは、バッファ１４とＩ／Ｏデコーダ１５を介して、ＣＰＵ１０に認識される。
【００１８】
次に、第１実施の形態のパチンコ機の動作について説明する前に、動作処理プログラムの一つである当たり判定の処理について説明する。第１実施の形態のパチンコ機においては、当たり判定の処理のために、変数である計数ＲＮＤをＲＡＭ１１に設けている。かかる計数ＲＮＤは、電源投入時に値「ＡX」からスタートし、以後、「ｍｓｅｃ」単位の第１間隔で発生する「リセット割込み」毎に加算値Ｎである値「Ｎ1」が加算され、値「ＡY」になれば値「ＡX」に書き換えられて、第１範囲である値「ＡX」から値「ＡY」の間を変化するものである。尚、このような計数ＲＮＤの値の変化は、後述する図１のＳ７の計数更新の処理が「リセット割込み」毎に実行されることによって、行われる。
【００１９】
このように、「リセット割込み」毎に値「Ｎ1」が加算されることにより値「ＡX」から値「ＡY」の間を周期的かつ順次に変化する計数ＲＮＤを、第１始動口にパチンコ球が入球した際に取得し、その取得値が「当たり値」として予め設定されていた値「ＡM」と一致するか否かによって、当たり判定の処理を行っている。尚、当たり判定の処理は、後述する図１のＳ６の中の動作処理プログラムの一つとして、「リセット割込み」毎に実行される。また、計数ＲＮＤの値を取得する動作は、第１始動口にパチンコ球が入球したか否かを「リセット割込み」毎に判断し、第１始動口にパチンコ球が入球したと判断した場合のみ、その「リセット割込み」内で行われる。
【００２０】
次に、第１実施の形態のパチンコ機の動作について説明する。図１に示すように、第１実施の形態のパチンコ機においては、「ｍｓｅｃ」単位の第１間隔で発生する「リセット割込み」毎に、各動作処理プログラムを順次に実行している。すなわち、「リセット割込み」が発生すると、Ｓ１において、現在の「リセット割込み」が電源投入直後のものであるか否かを判断する。
【００２１】
現在の「リセット割込み」が電源投入直後のものであると判断した場合には（Ｓ１：Ｙｅｓ）、Ｓ３において、計数ＲＮＤに値「ＡX」を代入する等の処理を行うことにより、ＲＡＭ１１を初期化し、現在の「リセット割込み」における動作を終了する。
【００２２】
一方、現在の「リセット割込み」が電源投入直後のものでないと判断した場合には（Ｓ１：Ｎｏ）、Ｓ２において、蛍光管表示データ転送の処理等の動作処理プログラムの一部を順次に実行し、Ｓ６において、当たり判定の処理や停止図柄作成の処理等の動作処理プログラムの一部を順次に実行し、Ｓ７において、計数更新の処理を、動作処理プログラムの一部として、実行する。
【００２３】
ここで、Ｓ７の計数更新の処理について、図２を参照にして説明する。計数更新の処理（図１のＳ７）においては、ＲＡＭ１１に設けられた変数である計数ＲＮＤを、第１範囲である値「ＡX」から値「ＡY」の間で変化させている。すなわち、図２に示すように、Ｓ３０において、計数ＲＮＤに値「Ｎ1」を加算し、その後のＳ３１において、計数ＲＮＤが値「ＡY＋Ｎ1」以上であるか否かを判断し、計数ＲＮＤが値「ＡY＋Ｎ1」以上であると判断した場合のみ（Ｓ３１：Ｙｅｓ）、Ｓ３２において、計数ＲＮＤに値「（ＡY−ＡX）＋Ｎ1」を減算する。かかる計数更新の処理（図１のＳ７）が実行されると、図１のＳ８に進む。
【００２４】
図１のＳ８においては、現在の「リセット割込み」における、Ｓ６の中の当たり判定の処理において、当たりと判定されたか否かを判断し、当たり判定の処理で当たりと判定されたと判断した場合には（Ｓ８：Ｙｅｓ）、Ｓ９において、計数ＲＮＤに、上述した計数器１３の値ＳＹＣを代入した後に、一方、当たり判定の処理で当たりと判定されたと判断しない場合には（Ｓ８：Ｎｏ）、何もすることなく、現在の「リセット割込み」における動作を終了する。
【００２５】
以上詳細に説明したように、第１実施の形態のパチンコ機においては、「ｍｓｅｃ」単位の第１間隔で発生する「リセット割込み」毎に、現在の「リセット割込み」が電源投入直後のものであると判断した場合には（Ｓ１：Ｙｅｓ）、Ｓ３を実行することによって、また、現在の「リセット割込み」が電源投入直後のものであると判断しない場合には（Ｓ１：Ｎｏ）、Ｓ２とＳ６からＳ９までの各動作処理プログラムを順次に実行することによって、パチンコ機の動作を行っており（図１参照）、かかる動作処理プログラムの一つである当たり判定の処理においては（Ｓ６）、第１始動口にパチンコ球が入球した際に取得された計数ＲＮＤの値に基づいて行っている。
【００２６】
このとき、計数ＲＮＤは、原則として、「リセット割込み」毎に値「Ｎ1」が加算されることによって、値「ＡX」から値「ＡY」の間を周期的かつ順次に変化している（図１のＳ７、図２のＳ３０〜Ｓ３２）。また、計数器１３の値ＳＹＣは、「リセット割込み」が発生する第１間隔とは関係ない第２間隔毎に、第１範囲内の値「ＡX」から値「ＡY」の間において変化している。
【００２７】
そして、Ｓ６の中の当たり判定の処理において、当たりと判定されたと判断した場合に（Ｓ８：Ｙｅｓ）、計数器１３の値ＳＹＣを計数ＲＮＤに代入することによって（Ｓ９）、計数ＲＮＤの値を代入時の値から計数器１３の値ＳＹＣまで飛び越して変化させているので、計数ＲＮＤの値の変化を外部から予測することは不可能となる。
【００２８】
すなわち、第１実施の形態のパチンコ機は、「リセット割込み」が発生する第１間隔とは関係ない第２間隔毎に変化する計数器１３の値ＳＹＣに基づいて計数ＲＮＤの値を変更しており、当たり判定の処理の際に使用する計数ＲＮＤの値の変化を外部から予測することを不可能にしているので、所謂「ぶらさげ基板」による不正行為を防止することができる。
【００２９】
次に、第２実施の形態のパチンコ機を、図３〜図６を参照にして説明する。第２実施の形態のパチンコ機は、第１種パチンコ機である。そして、ハード構成により「ｍｓｅｃ」単位の第１間隔で発生する、リセット信号である「リセット割込み」毎に、各動作処理プログラムを順次に実行することによって、パチンコ機自身を動作させるものである。
【００３０】
ここで、第２実施の形態のパチンコ機のハード構成を、図６を用いて説明する。図６に図示されたハード構成は主基板に搭載される主なものである。ＣＰＵ１０は、ＲＯＭ１６に記憶された各動作処理プログラムを順次に実行するものであり、ＣＰＵ１０自身に内蔵されたクロックから第１間隔を認識するものである。ＲＡＭ１１は、後述する変数の計数ＲＮＤ、加算数Ｎ、図５のテーブルなどを記憶するものである。クロック１２は、ＣＰＵ１０自身に内蔵されたクロック（第１間隔を認識させるもの）とは独立して、後述する第２間隔毎に信号を発生させるものである。尚、かかる第２間隔は、第１間隔と同様に、「ｍｓｅｃ」単位である。
【００３１】
計数器１３は、クロック１２が発生する信号に基づいて、第２間隔毎に、値「ＢX」、値「ＢX＋Ｎ1」、値「ＢX＋２Ｎ1」…値「ＢY」の順で計数しつつ、値「ＢY」の次は値「ＢX」に戻るように計数するハードウエアである。
そして、ＲＡＭ１１に記憶された図５のテーブルによって、かかる計数器１３の値ＣＴＮである値「ＢX」、値「ＢX＋Ｎ1」、値「ＢX＋２Ｎ1」…値「ＢY」に一対一に対応するように、加算値Ｎである値「Ｎ1」又は値「Ｎ2」が規定されている。尚、計数器１３の値ＳＹＣは、バッファ１４とＩ／Ｏデコーダ１５を介して、ＣＰＵ１０に認識される。
【００３２】
次に、第２実施の形態のパチンコ機の動作について説明する前に、動作処理プログラムの一つである当たり判定の処理について説明する。第２実施の形態のパチンコ機においては、当たり判定の処理のために、変数である計数ＲＮＤをＲＡＭ１１に設けている。かかる計数ＲＮＤは、電源投入時に値「ＡX」からスタートし、以後、「ｍｓｅｃ」単位の第１間隔で発生する「リセット割込み」毎に加算値Ｎが加算され、値「ＡY」になれば値「ＡX」に書き換えられて、第１範囲である値「ＡX」から値「ＡY」の間を変化するものである。尚、このような計数ＲＮＤの値の変化は、後述する図３のＳ４７の計数更新の処理が「リセット割込み」毎に実行されることによって、行われる。
【００３３】
このように、「リセット割込み」毎に加算値Ｎが加算されることにより値「ＡX」から値「ＡY」の間を周期的かつ順次に変化する計数ＲＮＤを、第１始動口にパチンコ球が入球した際に取得し、その取得値が「当たり値」として予め設定されていた値「ＡM」と一致するか否かによって、当たり判定の処理を行っている。尚、当たり判定の処理は、後述する図３のＳ４６の中の動作処理プログラムの一つとして、「リセット割込み」毎に実行される。また、計数ＲＮＤの値を取得する動作は、第１始動口にパチンコ球が入球したか否かを「リセット割込み」毎に判断し、第１始動口にパチンコ球が入球したと判断した場合のみ、その「リセット割込み」内で行われる。
【００３４】
次に、第２実施の形態のパチンコ機の動作について説明する。図３に示すように、第２実施の形態のパチンコ機においては、「ｍｓｅｃ」単位の第１間隔で発生する「リセット割込み」毎に、各動作処理プログラムを順次に実行している。すなわち、「リセット割込み」が発生すると、Ｓ４１において、現在の「リセット割込み」が電源投入直後のものであるか否かを判断する。
【００３５】
現在の「リセット割込み」が電源投入直後のものであると判断した場合には（Ｓ４１：Ｙｅｓ）、Ｓ４３において、計数ＲＮＤに値「ＡX」を代入する等の処理を行うことにより、ＲＡＭ１１を初期化し、現在の「リセット割込み」における動作を終了する。
【００３６】
一方、現在の「リセット割込み」が電源投入直後のものでないと判断した場合には（Ｓ４１：Ｎｏ）、Ｓ４２において、蛍光管表示データ転送の処理等の動作処理プログラムの一部を順次に実行し、Ｓ４６において、当たり判定の処理や停止図柄作成の処理等の動作処理プログラムの一部を順次に実行し、Ｓ４７において、計数更新の処理を、動作処理プログラムの一部として実行し、現在の「リセット割込み」における動作を終了する。
【００３７】
かかる計数更新の処理（図３のＳ４７）においては、図４に示すように、ＲＡＭ１１に設けられた変数である計数ＲＮＤに、計数器１３の値ＣＴＮに一対一に対応する加算値Ｎを加算することにより、かかる計数ＲＮＤを値「ＡX」から値「ＡY」の間で変化させている。
【００３８】
すなわち、図３のＳ４７の計数更新の処理は、図４に示すように、Ｓ６０において、現在の計数器１３の値ＣＴＮに一対一に対応する加算値Ｎを取得する。次のＳ６１において、Ｓ６０で取得した加算値Ｎを計数ＲＮＤに加算し、その後のＳ６２において、計数ＲＮＤが値「ＡY＋Ｎ」以上であるか否かを判断し、計数ＲＮＤが値「ＡY＋Ｎ」以上であると判断した場合のみ（Ｓ６２：Ｙｅｓ）、Ｓ６３において、計数ＲＮＤに値「（ＡY−ＡX）＋Ｎ」を減算する。かかる計数更新の処理（図３のＳ４７）が実行されると、現在の「リセット割込み」における動作を終了する。
【００３９】
以上詳細に説明したように、第２実施の形態のパチンコ機においては、「ｍｓｅｃ」単位の第１間隔で発生する「リセット割込み」毎に、現在の「リセット割込み」が電源投入直後のものであると判断した場合には（Ｓ４１：Ｙｅｓ）、Ｓ４３を実行することによって、また、現在の「リセット割込み」が電源投入直後のものであると判断しない場合には（Ｓ４１：Ｎｏ）、Ｓ４２とＳ４６からＳ４７までの各動作処理プログラムを順次に実行することによって、パチンコ機の動作を行っており（図３参照）、かかる動作処理プログラムの一つである当たり判定の処理においては（Ｓ４６）、第１始動口にパチンコ球が入球した際に取得された計数ＲＮＤの値に基づいて行っている。
【００４０】
このとき、計数器１３の値ＣＴＮは、「リセット割込み」が発生する第１間隔とは関係ない第２間隔毎に、値「ＢX」から値「ＢY」の間において変化している。
【００４１】
そして、第１間隔で発生するリセット信号毎に、計数器１３の値ＣＴＮに基づいて加算値Ｎを値「Ｎ1」又は値「Ｎ2」に変更することによって（Ｓ６０、図５）、計数ＲＮＤの値を不規則に変化させているので、計数ＲＮＤの値の変化を外部から予測することは不可能となる。
【００４２】
すなわち、第２実施の形態のパチンコ機は、「リセット割込み」が発生する第１間隔とは関係ない第２間隔毎に変化する計数器１３の値ＣＴＮに基づいて計数ＲＮＤの値を変更しており、当たり判定の処理の際に使用する計数ＲＮＤの値の変化を外部から予測することを不可能にしているので、所謂「ぶらさげ基板」による不正行為を防止することができる。
【００４３】
尚、本発明は上記実施の形態に限定されるものでなく、その趣旨を逸脱しない範囲で様々な変更が可能である。
例えば、第１実施の形態のパチンコ機においては、Ｓ６の中の当たり判定の処理において、当たりと判定されたと判断したときに（Ｓ８：Ｙｅｓ）、計数器１３の値ＳＹＣを計数ＲＮＤに代入しているが（Ｓ９）、パチンコ機の動作に悪影響が出なければ、計数器１３の値ＳＹＣを計数ＲＮＤに代入するときは、いつでもよい。
【００４４】
【００４５】
また、第１実施の形態のパチンコ機においては、計数器１３の値ＳＹＣは、第１範囲と同じ値「ＡX」から値「ＡY」の間で変化するが、第１範囲と異なる第２範囲内で変化させてもよい。ただし、Ｓ９において、計数ＲＮＤに計数器１３の値ＳＹＣを代入する前に、計数器１３の値ＳＹＣを第１範囲の値「ＡX」から値「ＡY」の間の値に変更する。
【００４６】
また、第２実施の形態のパチンコ機においては、Ｓ４７の計数更新の処理において、加算値Ｎを必ず新たに取得しているが（Ｓ６０）、一定条件を満たした場合にのみ、加算値Ｎを新たに取得してもよい。
【００４７】
また、第１実施の形態のパチンコ機の加算値Ｎである値「Ｎ1」と、第２実施の形態のパチンコ機の加算値Ｎである値「Ｎ1」又は値「Ｎ2」について、両者の加算値Ｎは正又は負のいずれの値をとってもかまわない。
【００４８】
また、第１実施の形態のパチンコ機の計数器１３や第２実施の形態のパチンコ機の計数器１３には、パチンコ機の動作を制御するＣＰＵ１０に内蔵されたカウンタ機能を用いてもよい。
【００４９】
また、第１実施の形態のパチンコ機と第２実施の形態のパチンコ機は、第１種パチンコ機であったが、第２種パチンコ機や第３種パチンコ機などのその他の機種のパチンコ機であってもよい。
【００５０】
また、第１実施の形態のパチンコ機の特徴である、計数ＲＮＤの値を代入時の値から計数器１３の値ＳＹＣまで飛び越して変化させることと、第２実施の形態のパチンコ機の特徴である、計数ＲＮＤの値に加算値Ｎの値「Ｎ1」又は値「Ｎ2」を加算して不規則に変化させることを併用して、計数ＲＮＤの値の変化を外部から予測することを不可能にしてもよい。
【００５１】
【発明の効果】
本発明のパチンコ機は、リセット信号が発生する第１間隔と異なる第２間隔毎に変化する計数器の値に基づいて計数の値を変更しており、当たり判定の処理の際に使用する第１計数の値の変化を外部から予測することを不可能にしているので、所謂「ぶらさげ基板」による不正行為を防止することができる。
【図面の簡単な説明】
【図１】  第１実施の形態のパチンコ機の動作のフローチャート図である。
【図２】  第１実施の形態のパチンコ機の計数更新の処理のフローチャート図である。
【図３】  第２実施の形態のパチンコ機の動作のフローチャート図である。
【図４】  第２実施の形態のパチンコ機の計数更新の処理のフローチャート図である。
【図５】  第２実施の形態のパチンコ機において、第２計数の値と加算値の関係を示した図である。
【図６】  第１実施の形態のパチンコ機と第２実施の形態のパチンコ機のブロック図である。
【符号の説明】
ＲＮＤ          計数
ＳＹＣ、ＣＴＮ  計数器の値
Ｎ              加算値
１３            計数器
【図１】
0004114178.tif 000002
【図２】
0004114178.tif 000003
【図３】
0004114178.tif 000004
【図４】
0004114178.tif 000005
【図５】
0004114178.tif 000006
【図６】
0004114178.tif 000007